(57)【要約】【課題】複数のアンテナを有して組立に手間がかかる従来のアンテナ構造に対して、組立が簡単な携帯電話のアンテナ構造を提供する。【解決手段】外部機器との無線通信を行う複数の送受信アンテナ３を筐体１内に収容し、筐体１内に、扁平状磁性粉末を面内方向に配向させた磁性体シート５を設けたものであって、送受信アンテナ３の一つが通話信号を送受信する第１のアンテナ１３であり、送受信アンテナ３の一つが近距離無線通信の信号を送受信する第２のアンテナ２３であり、携帯電話の通話面ＳＰと反対面を形成する筐体１の背面ＢＰと対向する位置に磁性体シート５を配置し、磁性体シート５と背面ＢＰとの間に、第１のアンテナ１３と第２のアンテナ２３とを配置したことを特徴としている。【選択図】図１
2013017108.tif 000002
【特許請求の範囲】
【請求項１】
外部機器との無線通信を行う複数の送受信アンテナを筐体内に収容し、前記筐体内に、扁平状磁性粉末を面内方向に配向させた磁性体シートを設けたものであって、
前記送受信アンテナの一つが通話信号を送受信する第１のアンテナであり、
前記送受信アンテナの一つが近距離無線通信の信号を送受信する第２のアンテナであり、
前記携帯電話の通話面と反対面を形成する前記筐体の背面と対向する位置に前記磁性体シートを配置し、前記磁性体シートと前記背面との間に、前記第１のアンテナと前記第２のアンテナとを配置したことを特徴とする携帯電話のアンテナ構造。
【請求項２】
前記磁性体シートが一枚のシートからなることを特徴とする請求項１に記載の携帯電話のアンテナ構造。
【請求項３】
前記磁性体シートと前記第１のアンテナと前記第２のアンテナとが、前記背面に配置されていることを特徴とする請求項１または請求項２に記載の携帯電話のアンテナ構造。
【請求項４】
前記磁性体シートの前記通話面側には、電池パックがあることを特徴とする請求項１ないし請求項３のいずれかに記載の携帯電話のアンテナ構造。
【請求項５】
前記磁性体シートと前記第１のアンテナと前記第２のアンテナとが、前記筐体の裏蓋に配置されていることを特徴とする請求項４に記載の携帯電話のアンテナ構造。
【請求項６】
前記磁性体シートが折り曲げられて配置されていることを特徴とする請求項１ないし請求項５のいずれかに記載の携帯電話のアンテナ構造。
【発明の詳細な説明】
【技術分野】
【０００１】
本発明は、携帯電話のアンテナ構造に関し、特に、携帯電話の通話用アンテナ及び近距離無線通信用アンテナを備えた携帯電話のアンテナ構造に関する。
【背景技術】
【０００２】
最近の携帯電話において、通話時の電磁波による人体への影響が懸念されている。そして、携帯電話を対象とした電磁エネルギーの局所吸収指針が、米国、欧州、日本において相次いで制定された。局所吸収の評価量としては、単位質量当たりに吸収される電力、すなわち比吸収率（ＳＡＲ；Specific Absorption Rate）が用いられる。比吸収率（ＳＡＲ）は、生体組織に侵入した電界をＥ、生体組織の導電率をσ、密度をρとすれば、次式で表され、例えば、米国では、１グラム組織平均ＳＡＲのピーク値が１．６Ｗ／ｋｇを超えないように定められており、欧州および日本では、１０グラム組織平均ＳＡＲのピーク値が２Ｗ／ｋｇを超えないように定められている。
【０００３】
ＳＡＲ＝σＥ2 ／２ρ
【０００４】
この比吸収率（ＳＡＲ）を下げるために、従来例１の特許文献１では、図８に示すように、磁気反射材を含む電磁波反射層を有した携帯電話７００が提案されている。図８に示す携帯電話７００は、通話用アンテナ７０１と、プリント基板７０３と、シールドケース７０４と、半導体集積回路７０５Ａ、７０５Ｂと、マイク７０６と、キーパッド７０７と、液晶表示部７０８と、スピーカ７０９と、絶縁性の筐体７１０とを有している。そして、シールドケース７０４と筐体７１０との間に、スピーカ７０９に近接するように、磁気反射材料を含む電磁波反射層７１１を設け、この電磁波反射層７１１によって、携帯電話７００の使用時に、人体Ｍによる電磁エネルギー吸収をより効果的に低減できるとしている。なお、従来例１では、電磁波反射層を用いているが、電磁波吸収層であっても、人体Ｍによる電磁エネルギー吸収をより効果的に低減できる。
【０００５】
一方、最近の携帯電話において、非接触式ＩＣカードを用いた、所謂ＲＦＩＤ（Radio Frequency Identification）に代表される近距離無線通信の機能を備えた機種も出てきている。この非接触型のＲＦＩＤは、図９に示すように、携帯電話側に設けられたループアンテナ８２２とリーダ・ライタ８０１側のコイルアンテナ８１２との間で、電磁誘導作用を用いることで、近距離無線通信を行っている。この際に、金属板８２５が存在した場合などには、リーダ・ライタ８０１からの磁界により携帯電話側の金属板８２５に渦電流ＩＳが発生し、この渦電流ＩＳによる反対向きの磁界（反磁界ＲＨ）が、リーダ・ライタ８０１のコイルアンテナ８１２により生じる磁束ループＭＲを阻害し、携帯電話のループアンテナ８２２とリーダ・ライタ８０１のコイルアンテナ８１２との通信が阻害されると言う問題があった。
【０００６】
この問題を解消するために、従来例２の特許文献２では、図１０に示すように、アンテナコイル９２２に磁芯部材９２８が積層されたアンテナモジュール９０１が提案されている。アンテナモジュール９０１は、金属シールド板９２５とアンテナコイル９２２との間に、使用周波数における比透磁率μｒの実部μｒ’×Ｑ値が大きい磁芯部材９２８を配置し、この磁芯部材９２８によって、リーダーライタ９１０のコイルアンテナ９１２により生じる磁束ループＭＲがアンテナコイル９２２を通過し易くなり、通信性能の劣化を抑制し、所期の通信距離を確保することができるとしている。ここで言うＱ値とは、一般に、損失係数（ｔａｎδ）の逆数を言い、下式で表される。
【０００７】
Ｑ＝μｒ’／μｒ” 。但し、μｒ”は、使用周波数における比透磁率μｒの虚部である。
【先行技術文献】
【特許文献】
【０００８】
【特許文献１】特開２００２−１９９０７７号公報
【特許文献２】特開２００５−３４０７５９号公報
【発明の概要】
【発明が解決しようとする課題】
【０００９】
しかしながら、従来例１の７００ＭＨｚ帯から３ＧＨｚ帯の高周波の周波数帯域のアンテナと、従来例２の１３．５６ＭＨｚに代表される低周波の周波数帯域のアンテナとが一緒に設けられた携帯電話においては、比吸収率（ＳＡＲ）を下げるための電磁波反射層もしくは電磁波吸収層と、磁束の通過を容易にするための磁性層とを別々に準備し、それぞれの位置に各層を配置することになる。そのため、製造工程が複雑化して、組立に手間がかかると言う課題があった。
【００１０】
本発明は、上述した課題を解決するもので、組立が簡単な携帯電話のアンテナ構造を提供することを目的とする。
【課題を解決するための手段】
【００１１】
この課題を解決するために、本発明の請求項１による携帯電話のアンテナ構造は、外部機器との無線通信を行う複数の送受信アンテナを筐体内に収容し、前記筐体内に、扁平状磁性粉末を面内方向に配向させた磁性体シートを設けたものであって、前記送受信アンテナの一つが通話信号を送受信する第１のアンテナであり、前記送受信アンテナの一つが近距離無線通信の信号を送受信する第２のアンテナであり、前記携帯電話の通話面と反対面を形成する前記筐体の背面と対向する位置に前記磁性体シートを配置し、前記磁性体シートと前記背面との間に、前記第１のアンテナと前記第２のアンテナとを配置したことを特徴としている。
【００１２】
また、本発明の請求項２による携帯電話のアンテナ構造は、前記磁性体シートが一枚のシートからなることを特徴としている。
【００１３】
また、本発明の請求項３による携帯電話のアンテナ構造は、前記磁性体シートと前記第１のアンテナと前記第２のアンテナとが、前記背面に配置されていることを特徴としている。
【００１４】
また、本発明の請求項４による携帯電話のアンテナ構造は、前記磁性体シートの前記通話面側には、電池パックがあることを特徴としている。
【００１５】
また、本発明の請求項５による携帯電話のアンテナ構造は、前記磁性体シートと前記第１のアンテナと前記第２のアンテナとが、前記筐体の裏蓋に配置されていることを特徴としている。
【００１６】
また、本発明の請求項６による携帯電話のアンテナ構造は、前記磁性体シートが折り曲げられて配置されていることを特徴としている。
【発明の効果】
【００１７】
請求項１の発明によれば、本発明の携帯電話のアンテナ構造は、携帯電話の背面と磁性体シートとの間に、通話信号を送受信する第１のアンテナと近距離無線通信の信号を送受信する第２のアンテナとを配置し、磁性体シートに扁平状磁性粉末を面内方向に配向させたシートを用いたので、近距離無線通信の低周波側では比透磁率の実部μｒ’が高く、通話の高周波側では比透磁率の虚部μｒ”を高くすることができる。このため、この磁性体シートにより、近距離無線通信用の第２のアンテナの送受信性能を向上させるとともに、通話時の第１のアンテナからの電波による人体への影響を抑制することができる。このことにより、同一の種類の磁性体シートを用いるだけで上記２つの機能を満足させられ、組立時において組立を簡単にすることができる。
【００１８】
請求項２の発明によれば、本発明の携帯電話のアンテナ構造は、磁性体シートが一枚のシートからなるので、組立時において、大きさの違う磁性層を別々に準備しそれぞれの位置に各層を配置する場合と比較して、組立をより簡単にすることができる。また、磁性体シートが一枚なので、シートの加工がし易いとともに、それぞれのアンテナに対して広い面積を有効に使用できるので、第２のアンテナの送受信性能をより向上させるとともに、第１のアンテナからの電波による人体への影響をより抑制することができる。
【００１９】
請求項３の発明によれば、本発明の携帯電話のアンテナ構造は、磁性体シートと第１のアンテナと第２のアンテナとが、携帯電話の背面に配置されているので、携帯電話における省スペース化が図られる。
【００２０】
請求項４の発明によれば、本発明の携帯電話のアンテナ構造は、磁性体シートの通話面側には、電池パックがあるので、磁性体シートにより、ケースが金属製の電池パックからの影響を受けないようにすることができる。このことにより、近距離無線通信用の第２のアンテナの送受信性能をより一層向上させることができる。
【００２１】
請求項５の発明によれば、本発明の携帯電話のアンテナ構造は、磁性体シートと第１のアンテナと第２のアンテナとが、携帯電話の筐体の裏蓋に配置されているので、ケースが金属製で作製されている電池パックからの影響を受けないようにできるとともに、携帯電話における省スペース化がより図られ、更には、組立時において、裏蓋を組み込むだけで第１のアンテナ、第２のアンテナ及び磁性体シートを組み込むことができるので、組立をより一層簡単にすることができる。
【００２２】
請求項６の発明によれば、本発明の携帯電話のアンテナ構造は、磁性体シートが折り曲げられて配置されているので、第２のアンテナより厚い第１のアンテナを折り曲げられた部分に配置することができる。このことにより、携帯電話における省スペース化がより一層図られる。
【００２３】
したがって、本発明の携帯電話のアンテナ構造は、組立が簡単な携帯電話のアンテナ構造を提供できる。
【図面の簡単な説明】
【００２４】
【図１】本発明の第１実施形態の携帯電話のアンテナ構造を説明する図であって、携帯電話の断面構成図である。
【図２】本発明の第１実施形態の携帯電話のアンテナ構造を説明する図であって、図１に示すＰ部分の拡大図である。
【図３】本発明の第１実施形態の携帯電話のアンテナ構造を説明する図であって、図２に示す裏蓋部分の拡大図である。
【図４】本発明の第１実施形態の携帯電話のアンテナ構造を説明する図であって、図３に示す裏蓋部分を通話面側から見た正面図である。
【図５】本発明の第１実施形態の携帯電話のアンテナ構造に用いた磁性体シートを説明する図であって、図５（ａ）は、図２に示すＱ部分の磁性体シートの断面模式図であり、図５（ｂ）は、磁性体シートの断面ＳＥＭ写真の一例である。
【図６】本発明の第１実施形態の携帯電話のアンテナ構造に用いた磁性体シートの比透磁率の周波数特性を示したグラフである。
【図７】本発明の第１実施形態の携帯電話のアンテナ構造の変形例１を説明する断面の構成図である。
【図８】従来例１における携帯電話機の概略図である。
【図９】従来技術におけるＲＦＩＤに代表される近距離無線通信の問題点を説明する図である。
【図１０】従来例２におけるアンテナモジュールを用いた近距離無線通信を説明する図である。
【発明を実施するための形態】
【００２５】
以下、本発明の実施の形態について添付図面を参照して詳細に説明する。
【００２６】
［第１実施形態］
図１は、本発明の第１実施形態の携帯電話１０１のアンテナ構造を説明する構成図であって、携帯電話１０１の断面構成図である。図２は、本発明の第１実施形態の携帯電話１０１のアンテナ構造を説明する図であって、図１に示すＰ部分の拡大図である。図３は、本発明の第１実施形態の携帯電話１０１のアンテナ構造を説明する図であって、図２に示す裏蓋７１部分の拡大図である。図４は、本発明の第１実施形態の携帯電話１０１のアンテナ構造を説明する図であって、図３に示す裏蓋７１部分を通話面ＳＰ側から見た正面図である。図５は、本発明の第１実施形態の携帯電話１０１のアンテナ構造に用いた磁性体シート５を説明する図であって、図５（ａ）は、図２に示すＱ部分の磁性体シート５の断面模式図であり、図５（ｂ）は、磁性体シート５の断面ＳＥＭ写真の一例である。
【００２７】
本発明の第１実施形態の携帯電話１０１のアンテナ構造は、図１及び図２に示すように、外部機器との無線通信を行う複数の送受信アンテナ３（１３、２３）と、磁性体シート５と、複数の送受信アンテナ３及び磁性体シート５を収容した筐体１とを備えて構成される。また、携帯電話１０１は、他に、配線パターンが形成された回路基板６（６Ａ、６Ｂ）と、筐体１の通話面ＳＰ側に配置されたスピーカＳ７、マイクＭ７及び表示部Ｌ７と、通話面ＳＰと反対面を形成する背面ＢＰ側に配置された電池パック８と、を備えて構成される。
【００２８】
携帯電話１０１の筐体１は、ＡＢＳ（アクリロニトリルブタジエンスチレン）、ＰＢＴ（ポリブチレンテレフタレート）等の合成樹脂材料を用い、図１ないし図３に示すように、表ケース１１と裏ケース３１とから構成され、箱状の形状で形成されている。また、裏ケース３１の背面ＢＰには、裏蓋７１が設けられ、電源として用いられる電池パック８の取り出しが可能になっている。なお、表ケース１１及び裏ケース３１の形成は、合成樹脂材料を用いているので、射出成形等で、容易に作製することができる。
【００２９】
筐体１の通話面ＳＰ側に配置されたスピーカＳ７及びマイクＭ７は、ユーザが発声した音等を送話する送話器と、ユーザが携帯電話１０１からの音声を聞く受話器とを構成している。また、筐体１の通話面ＳＰ側に設けられた表示部Ｌ７は、文字あるいは画像等の情報を表示するもので、液晶や有機ＥＬ等の表示素子を用いている。また、表示部Ｌ７の前面には、タッチパネルＴ７が設けられ、ユーザが携帯電話１０１の操作を行えるようになっている。また、筐体１の通話面ＳＰと反対面を形成する背面ＢＰ側に配置された電池パック８は、リチウムイオン二次電池が用いられ、金属製のケースに収められている。
【００３０】
回路基板６（６Ａ、６Ｂ）は、ガラス入りのエポキシ樹脂からなり、一般に広く知られている多層のプリント配線板（ＰＣＢ）を用いており、回路基板６（６Ａ、６Ｂ）には、制御回路、送信回路および受信回路等が設けられている。なお、回路基板６（６Ａ、６Ｂ）にガラス入りのエポキシ樹脂からなる多層プリント配線板（ＰＣＢ）を用いたが、これに限定されるものではなく、例えばポリイミド樹脂を用いたフレキシブル配線板やセラミック配線板でも良い。
【００３１】
複数の送受信アンテナ３の一つは、通話信号を送受信する第１のアンテナ１３であり、通話信号には、７００ＭＨｚ帯から３ＧＨｚ帯の高周波の周波数帯域を用いている。また、複数の送受信アンテナ３のもう一つは、近距離無線通信の信号を送受信する第２のアンテナ２３であり、近距離無線通信には、１３．５６ＭＨｚに代表される低周波の周波数帯域を用いている。そして、第１のアンテナ１３と第２のアンテナ２３は、筐体１の背面ＢＰに配置されている。これにより、携帯電話１０１における省スペース化が図られる。特に、本発明の第１実施形態の携帯電話１０１のアンテナ構造では、第１のアンテナ１３と第２のアンテナ２３は、筐体１の裏蓋７１に配置されているので、携帯電話１０１における省スペース化がより図られる。
【００３２】
また、図４に示すように、後述する磁性体シート５には、第１の開口１５ｋと第２の開口２５ｋが設けられており、第１のアンテナ１３の給電用の端子１３ｔと第２のアンテナ２３の給電用の端子２３ｔが露出されている。そして、給電用の端子１３ｔ及び給電用の端子２３ｔと回路基板６Ｂとが接続され、第１のアンテナ１３及び第２のアンテナ２３と回路基板６Ｂとが電気的に接続される。
【００３３】
磁性体シート５は、図５に示すように、ＡＢＳ（アクリロニトリルブタジエンスチレン）、ＰＰ（ポリプロピレン）等の合成樹脂Ｐ５と、扁平状磁性粉末Ｊ５とから構成され、フィルム状の形状をしている。また、磁性体シート５は、合成樹脂Ｐ５のマトリックスに、扁平状磁性粉末Ｊ５の長手方向が磁性体シート５の面内方向ＰＤの所望の方向に揃えた形で、複数の扁平状磁性粉末Ｊ５を並べるように配向ＨＤさせている。ここで言う配向ＨＤとは、複数の扁平状磁性粉末Ｊ５の平均傾き角度が磁性体シート５の面内方向ＰＤに対して、４５°以下の状態を指し、好ましくは１０°以下の状態を指している。このようにして、複数の扁平状磁性粉末Ｊ５の磁化が磁性体シート５の面内方向ＰＤの所望の方向に配向ＨＤするようになり、磁性体シート５の磁界の向きが、所望の方向に揃うようになる。このことにより、磁束が面内方向ＰＤに通りやすくなり磁気シールド効果が向上するとともに、電磁界エネルギーを熱変換、或いは反射させる等の特性が向上する。
【００３４】
また、磁性体シート５は、図１及び図２に示すように、携帯電話１０１の通話面ＳＰと反対面を形成する筐体１の背面ＢＰと対向する位置に配置されるとともに、磁性体シート５と背面ＢＰとの間に、第１のアンテナ１３と第２のアンテナ２３とが挟まれる位置に配置される。このため、同一の種類の磁性体シート５を用いるだけで、２つアンテナに対してそれぞれの効果を満足させられるとともに、組立時において組立を簡単にすることができる。さらに、本発明の第１実施形態の携帯電話１０１のアンテナ構造では、筐体１の裏蓋７１に一体となって配置されているので、携帯電話１０１における省スペース化が図られるとともに、組立時において、裏蓋７１を組み込むだけで第１のアンテナ１３、第２のアンテナ２３及び磁性体シート５を組み込むことができるので、組立をより一層簡単にすることができる。また、磁性体シート５の通話面ＳＰ側には、電池パック８がある。これにより、第２のアンテナ２３に対して、ケースが金属製の電池パック８からの悪影響を受けないようにすることができる。
【００３５】
また、磁性体シート５は、一枚のシートから作成されているので、組立時において、大きさの違う磁性層を別々に準備しそれぞれの位置に各層を配置する場合と比較して、組立を簡単にすることができる。また、磁性体シート５が一枚なので、シートの加工がし易くなり、製造工程を大幅に簡素化することができる。さらに、一枚の磁性体シート５を折り曲げて配置されているので、第２のアンテナ２３より厚い第１のアンテナ１３を折り曲げられた部分に配置することができる。このことにより、携帯電話１０１における省スペース化がより一層図られる。
【００３６】
ここで、本発明の第１実施形態の携帯電話１０１のアンテナ構造に用いた磁性体シート５の製造方法について説明する。まず、鉄を主成分とする材料、例えばパーマロイ（Ｆｅ−Ｎｉ合金）を用い、水アトマイズ法により磁性粉末を作製する。なお、水アトマイズ法に限定されず、ガスアトマイズ法、上記合金溶湯から急冷したリボンを粉砕して粉末化する液体急冷法等を用いても良い。また、水アトマイズ法、ガスアトマイズ法、液体急冷法の処理条件については、原料の種類に応じて通常行われる条件を用いることが出来る。そして、得られた磁性粉末を分級して粒度を揃えた後に、遊星撹拌型ボールミル等の装置を用いて、磁性粉末を扁平状に加工する。なお、必要に応じて、磁性粉末の内部応力を緩和させる目的で、扁平状に加工された扁平状磁性粉末Ｊ５にアニール処理を施しても良い。
【００３７】
次に、磁性体シート５を構成する合成樹脂Ｐ５と、扁平状磁性粉末Ｊ５とを有して成る混合液（スラリー）を、ドクターブレード装置に供給し、基材（キャリアテープ）を引きながら、ブレードにより混合液を所定厚さで基材上に塗布する。そして、加熱することにより、基材上に合成樹脂Ｐ５と扁平状磁性粉末Ｊ５とから構成される磁性体シート５が得られる。なお、磁性体シート５は、この基材と一緒に用いても良いが、本発明の第１実施形態の携帯電話１０１のアンテナ構造への適用は、携帯電話１０１の省スペース化のため、この基材を除去して、単独で適用した。
【００３８】
図６は、本発明の第１実施形態の携帯電話１０１のアンテナ構造に用いた磁性体シート５の比透磁率μｒの周波数特性を示したグラフであり、縦軸に実部μｒ’及び虚部μｒ”（磁性率磁気損失とも言う）を示し、横軸に周波数を示している。測定は、磁性体シート５をリング状に加工したサンプル片を用い、マテリアルアナライザで行った。
【００３９】
一般に、比透磁率μｒは、下式のように複素数で表される。ここで、μｒ’は、磁束の通りやすさを表し、μｒ”は、磁気損失を表す。このμｒ’が大きければ大きいほど、磁気抵抗が低くなり磁束が通りやすくなり、ひいては磁気シールド効果が高くなる。一方、この磁気損失（虚部μｒ”）が大きければ大きいほど、電磁エネルギーを熱に変換する効率が高く、ひいては電磁波を吸収する電磁波吸収特性が高くなる。
【００４０】
μｒ＝μｒ’−ｊμｒ”
【００４１】
図６に示すように、本発明の第１実施形態の携帯電話１０１のアンテナ構造に用いた磁性体シート５は、１３．５６ＭＨｚでは、μｒ’が１００以上、μｒ”が５以下になっており、２.０ＧＨｚでは、μｒ’が４以下、μｒ”が２５以上になっている。また、近距離無線通信の信号の低周波数帯域では、実部μｒ’が常に大きいとともに、実部μｒ’と虚部μｒ”との差が大きく（言い換えると、Ｑ値が高い）なっており、一方、通話信号の高周波数帯域（７００ＭＨｚ帯から３ＧＨｚ帯）では、実部μｒ’が小さく、虚部μｒ”が常に大きくなっている。
【００４２】
したがって、１３.５６ＭＨｚ等を用いるＲＦＩＤにおいては、磁性体シート５の比透磁率のμｒ’が大きく、Ｑ値が高いので、磁性体シート５により第２のアンテナ２３を通るリーダ・ライタからの磁束の通りを良くすることができる。このことにより、近距離無線通信における第２のアンテナ２３の送受信性能を向上させることができる。一方、７００ＭＨｚ帯から３ＧＨｚ帯の高周波を用いる通話においては、磁性体シート５の比透磁率の実部μｒ’が小さく虚部μｒ”が大きいので、磁性体シート５により第１のアンテナ１３近傍の通話による電磁波を吸収することができる。このことにより、通話時の第１のアンテナ１３からの電波による人体への影響を抑制することができ、比吸収率（ＳＡＲ）の規格を満足することができる。
【００４３】
以上により、本発明の携帯電話１０１のアンテナ構造は、携帯電話１０１の背面ＢＰと磁性体シート５との間に、通話信号を送受信する第１のアンテナ１３と近距離無線通信の信号を送受信する第２のアンテナ２３とを配置し、磁性体シート５に扁平状磁性粉末Ｊ５を面内方向ＰＤに配向ＨＤさせたシートを用いたので、近距離無線通信の低周波側では比透磁率の実部μｒ’が高く、通話の高周波側では比透磁率の虚部μｒ”を高くすることができる。このため、この磁性体シート５により、近距離無線通信用の第２のアンテナ２３の送受信性能を向上させるとともに、通話時の第１のアンテナ１３からの電波による人体への影響を抑制することができる。このことにより、同一の種類の磁性体シート５を用いるだけで、上記２つの機能を満足させられ、組立時において組立を簡単にすることができる。
【００４４】
また、磁性体シート５が一枚のシートからなるので、組立時において、大きさの違う磁性層を別々に準備しそれぞれの位置に各層を配置する場合と比較して、組立をより簡単にすることができる。また、磁性体シート５が一枚なので、シートの加工がし易いとともに、それぞれのアンテナに対して広い面積を有効に使用できるので、第２のアンテナ２３の送受信性能をより向上させるとともに、第１のアンテナ１３からの電波による人体への影響をより抑制することができる。
【００４５】
また、磁性体シート５と第１のアンテナ１３と第２のアンテナ２３とが、携帯電話１０１の背面ＢＰに配置されているので、携帯電話１０１における省スペース化が図られる。
【００４６】
また、磁性体シート５の通話面ＳＰ側には、電池パック８があるので、磁性体シート５により、ケースが金属製の電池パック８からの影響を受けないようにすることができる。このことにより、近距離無線通信用の第２のアンテナ２３の送受信性能をより一層向上させることができる。
【００４７】
また、磁性体シート５と第１のアンテナ１３と第２のアンテナ２３とが、携帯電話１０１の筐体１の裏蓋７１に配置されているので、ケースが金属製で作製されている電池パック８からの影響を受けないようにできるとともに、携帯電話１０１における省スペース化がより図られ、更には、組立時において、裏蓋７１を組み込むだけで第１のアンテナ１３、第２のアンテナ２３及び磁性体シート５を組み込むことができるので、組立をより一層簡単にすることができる。
【００４８】
また、磁性体シート５が折り曲げられて配置されているので、第２のアンテナ２３より厚い第１のアンテナ１３を折り曲げられた部分に配置することができる。このことにより、携帯電話１０１における省スペース化がより一層図られる。
【００４９】
なお、本発明は上記実施形態に限定されるものではなく、例えば次のように変形して実施することができ、これらの実施形態も本発明の技術的範囲に属する。
【００５０】
＜変形例１＞
図７は、本発明の第１実施形態の携帯電話１０１のアンテナ構造の変形例１を説明する図であり、携帯電話Ｃ１０１の断面構成図である。上記第１実施形態では、一枚の磁性体シート５を用い、磁性体シート５と筐体１の背面ＢＰとの間に、第１のアンテナ１３と第２のアンテナ２３とを配置した構成にしたが、図７に示すように、磁性体シートＣ５Ａと磁性体シートＣ５Ｂの二枚のシートを用い、磁性体シートＣ５Ａ及び磁性体シートＣ５Ｂとの間に、第１のアンテナＣ１３と第２のアンテナＣ２３とをそれぞれ配置した構成しても良い。
【００５１】
＜変形例２＞
上記実施形態では、一枚の磁性体シート５を折り曲げて用いたが、磁性体シート５と筐体１の背面ＢＰとの間に、第１のアンテナ１３と第２のアンテナ２３とが配置されていれば良く、一枚の平板状の磁性体シートを配置した構成にしても良い。
＜変形例３＞
上記実施形態では、磁性体シート５がフィルム状であったが、板状の磁性体シートであっても良い。
【００５２】
本発明は上記実施の形態に限定されず、本発明の目的の範囲を逸脱しない限りにおいて適宜変更することが可能である。
【符号の説明】
【００５３】
１  筐体
７１  裏蓋
３  送受信アンテナ
１３、Ｃ１３  第１のアンテナ
２３、Ｃ２３  第２のアンテナ
５、Ｃ５Ａ、Ｃ５Ｂ  磁性体シート
６、６Ａ、６Ｂ  回路基板
８  電池パック
１０１、Ｃ１０１  携帯電話
Ｊ５  扁平状磁性粉末
ＢＰ  背面
ＨＤ  配向
ＳＰ  通話面
ＰＤ  面内方向
【図１】
2013017108.tif 000003
【図２】
2013017108.tif 000004
【図３】
2013017108.tif 000005
【図４】
2013017108.tif 000006
【図５】
2013017108.tif 000007
【図６】
2013017108.tif 000008
【図７】
2013017108.tif 000009
【図８】
2013017108.tif 000010
【図９】
2013017108.tif 000011
【図１０】
2013017108.tif 000012